(57)【要約】【課題】  本発明の課題は、複数の排紙トレイを備える後処理ユニットにおいて、印刷物の排出先を明確にして出力することである。【解決手段】画像形成装置１００は、複数の排紙トレイを備える後処理ユニット２，３を備え、後処理ユニット毎に対応する表示手段２９ａ，４０ａを設けると共に、複数の排紙トレイの近傍にそれぞれ複数の表示手段２９ｂ〜２９ｅ、４０ｂ〜ｃを設け、用紙が排出される後処理ユニット２，３に対応する表示手段２９ａ，４０ａと、設定された後処理モードに応じて特定される排紙トレイの近傍に設けられる表示手段２９ｂ〜２９ｅ、４０ｂ〜４０ｃを点灯表示する。【選択図】図１
2005055868.tif 000002
【特許請求の範囲】
【請求項１】
記録媒体に画像形成する画像形成手段と、
画像形成された記録媒体にそれぞれ異なる後処理を行う複数の後処理ユニットと、
複数の後処理ユニット毎に少なくとも１以上設けられる複数の表示手段と、
前記後処理ユニットが行う後処理に対応する後処理モードを入力させる入力手段と、
前記入力された後処理モードに対応する後処理を行う後処理ユニットを判別する後処理判別手段と、
前記判別された後処理ユニットに設けられる表示手段を第１の表示態様にて点灯表示させる表示制御手段と、
を備えることを特徴とする画像形成装置。
【請求項２】
記録媒体に画像形成する画像形成手段と、
複数の後処理モードに応じて前記記録媒体に異なる後処理を行う後処理ユニットと、
後処理ユニットに設けられ、後処理が行われた記録媒体が排出される複数の排紙トレイと、
前記複数の排紙トレイの近傍にそれぞれ設けられる複数の表示手段と、
前記後処理ユニットが行う後処理に対応する後処理モードを入力させる入力手段と、
前記入力された後処理モードに対応する後処理が行われた記録媒体が排出される排紙トレイを判別する後処理判別手段と、
前記後処理判別手段により判別された排紙トレイに設けられる表示手段を第１の表示態様にて点灯表示させる表示制御手段と、
を備えることを特徴とする画像形成装置。
【請求項３】
前記後処理モードは、折りモード、綴じモード、スタッカーモードのうち少なくとも１以上を含むことを特徴とする請求項１又は２記載の画像形成装置。
【請求項４】
前記折りモードには、多数枚三ツ折りモード、Ｚ折りモードのうち少なくとも１以上を含むことを特徴とする請求項３記載の画像形成装置。
【請求項５】
前記綴じモードには、中綴じモード、平綴じモードのうち少なくとも１以上を含むことを特徴とする請求項３記載の画像形成装置。
【請求項６】
前記後処理ユニットは、ジャムの発生を検知する検知手段を備え、
前記表示制御手段は、前記検知手段によりジャムの発生が検知された場合に、前記表示手段を第２の表示態様にて点灯表示させることを特徴とする請求項１又は２記載の画像形成装置。
【請求項７】
前記表示制御手段は、前記後処理ユニットにて後処理が終了した後、前記表示手段を第１の表示態様にて点灯表示させることを特徴とする請求項１又は２記載の画像形成装置。
【請求項８】
前記表示制御手段は、前記後処理ユニットにて後処理を行っている間、前記表示手段を第１の表示態様にて点灯表示させることを特徴とする請求項１又は２記載の画像形成装置。
【請求項９】
前記表示制御手段は、前記後処理判別手段により、後処理を行う後処理ユニットが判別された後、前記表示手段を第１の表示態様にて点灯表示させることを特徴とする請求項１又は２記載の画像形成装置。
【発明の詳細な説明】
【技術分野】
【０００１】
本発明は、画像形成処理された印刷物に後処理を施す画像形成装置に関するものである。
【背景技術】
【０００２】
従来、複写機を基本とし、プリンタ、ファクシミリ等の機能を備えた複合機が普及している。また、これらの複合機は、近年のユーザの多様な要望を実現するため、使用目的に合わせた種々の機能が備えられている。例えば、画像形成処理された印刷物に対して、平綴じ、中綴じ、各種折り、パンチ等の後処理を施して、印刷物を出力する後処理ユニットを備える画像形成装置が知られている。このような後処理ユニットにおいては、複数の排紙トレイを備え、各種機能に応じて処理された印刷物を処理種別毎に排紙トレイに排出していた。
【０００３】
一方、多機能な後処理ユニットを備える画像形成装置において、後処理ユニットの機能に応じてジョブのスケジュール管理を行い、出力すべきジョブの生産性を向上させる画像形成装置が知られている（例えば、特許文献１参照）。また、複数の排紙トレイを持つ画像形成装置において、複数の排紙トレイの近傍に報知手段を設け、報知手段により排紙の完了を報知することができる画像形成装置が知れられている（例えば、特許文献２参照）。さらに、複数の出力ビンを有する印刷装置において、印刷ジョブの出力先を判別して印刷ジョブを出力した出力ビンを認識可能に表示する出力ビン管理装置が知られている（例えば、特許文献３参照）。
【特許文献１】特開２０００−２６３８９８号公報
【特許文献２】特開２０００−２６３８８９号公報
【特許文献３】特開２００１−２６５５６１号公報
【発明の開示】
【発明が解決しようとする課題】
【０００４】
しかしながら、上述した従来の画像形成装置（例えば、特許文献１）においては、後処理ユニットの機能に応じて最適なスケジュール管理を行うものの、管理された印刷物がどの排紙トレイから排出されるかを明確に示すものではなかった。つまり、従来の画像形成装置において各種後処理が施された印刷物は、施された処理に応じて異なる排紙トレイから排出されるが、その排紙トレイが明示される構成ではなく、ユーザは、自己が出力した印刷物がどの排紙トレイから排出されるかを把握することは困難であった。このため、印刷物を大量に排出させた場合、目的の印刷物の排出先が不明になってしまうという問題があった。
【０００５】
また、後処理ユニットに備える排紙トレイが大容量排紙トレイ（スタッカー）である場合、スタッカーには扉が設けられ、用紙が排出される内部の機構がユーザから確認できない構成となる場合がある。ここで、後処理ユニットが稼動中にスタッカーの扉を誤って開閉してしまうと、安全機能の働きにより、処理が中断される。すなわち、ジャムが発生し、処理効率が低下するという問題があった。
【０００６】
また、上述した画像形成装置（特許文献２）においては、最後に排出された排出紙がある排紙トレイを報知するものであるため、処理が終了するまで排紙トレイが報知されず、効率良く排出紙を回収できなかった。さらに、上述した出力ビン管理装置（特許文献３）は、印刷ジョブの出力先となる出力ビンを表示する表示手段は、出力ビンから離れて設けられているため、印刷ジョブが排紙された出力ビンを視覚的に把握できないという問題があった。
【０００７】
本発明の課題は、複数の排紙トレイを備える後処理ユニットから構成される画像形成装置において、印刷物の排出位置を明確にして出力することが可能な画像形成装置を提供することである。
【課題を解決するための手段】
【０００８】
上記課題を解決するために、請求項１記載の発明は、
記録媒体に画像形成する画像形成手段と、
画像形成された記録媒体にそれぞれ異なる後処理を行う複数の後処理ユニットと、
複数の後処理ユニット毎に少なくとも１以上設けられる複数の表示手段と、
前記後処理ユニットが行う後処理に対応する後処理モードを入力させる入力手段と、
前記入力された後処理モードに対応する後処理を行う後処理ユニットを判別する後処理判別手段と、
前記判別された後処理ユニットに設けられる表示手段を第１の表示態様にて点灯表示させる表示制御手段と、
を備えることを特徴としている。
【０００９】
請求項２記載の発明は、
記録媒体に画像形成する画像形成手段と、
複数の後処理モードに応じて前記記録媒体に異なる後処理を行う後処理ユニットと、
後処理ユニットに設けられ、後処理が行われた記録媒体が排出される複数の排紙トレイと、
前記複数の排紙トレイの近傍に設けられる複数の表示手段と、
前記後処理ユニットが行う後処理に対応する後処理モードを入力させる入力手段と、
前記入力された後処理モードに対応する後処理が行われた記録媒体が排出される排紙トレイを判別する後処理判別手段と、
前記後処理判別手段により判別された排紙トレイに設けられる表示手段を第１の表示態様にて点灯表示させる表示制御手段と、
を備えることを特徴としている。
【００１０】
請求項３記載の発明は、請求項１又は２記載の画像形成装置において、
前記後処理モードは、折りモード、綴じモード、スタッカーモードのうち少なくとも１以上を含むことを特徴としている。
【００１１】
請求項４記載の発明は、請求項３記載の画像形成装置において、
前記折りモードには、多数枚三ツ折りモード、Ｚ折りモードのうち少なくとも１以上を含むことを特徴としている。
【００１２】
請求項５記載の発明は、請求項３記載の画像形成装置において、
前記綴じモードには、中綴じモード、平綴じモードのうち少なくとも１以上を含むことを特徴としている。
【００１３】
請求項６記載の発明は、請求項１又は２記載の画像形成装置において、
前記後処理ユニットは、ジャムの発生を検知する検知手段を備え、
前記表示制御手段は、前記検知手段によりジャムの発生が検知された場合に、前記表示手段を第２の表示態様にて点灯表示させることを特徴としている。
【００１４】
ここで、第２の表示態様とは、上述した第１の表示態様とは異なる表示態様であることを示し、例えば、第１の表示態様が点灯表示である場合、第２の表示態様は点滅表示となる。また、第１の表示態様と第２の表示態様が点滅表示である場合、点滅速度を変更することにより、表示態様を異なるものとしてもよく、表示手段の発光色を変更することにより、第１の表示態様と第２の表示態様を異なるものとしてもよい。
【００１５】
請求項７記載の発明は、請求項１又は２記載の画像形成装置において、
前記表示制御手段は、前記後処理ユニットにて後処理が終了した後、前記表示手段を第１の表示態様にて点灯表示させることを特徴としている。
【００１６】
請求項８記載の発明は、請求項１又は２記載の画像形成装置において、
前記表示制御手段は、前記後処理ユニットにて後処理を行っている間、前記表示手段を第１の表示態様にて点灯表示させることを特徴としている。
【００１７】
請求項９記載の発明は、請求項１又は２記載の画像形成装置において、
前記表示制御手段は、前記後処理判別手段により、後処理を行う後処理ユニットが判別された後、前記表示手段を第１の表示態様にて点灯表示させることを特徴とする。
【発明の効果】
【００１８】
請求項１記載の発明によれば、複数の後処理ユニットが設けられる画像形成装置において、後処理が行われた記録媒体が排出される後処理ユニットに設けられる表示手段を点灯表示させることにより、記録媒体が排出される後処理ユニットを的確に認識することができる。
【００１９】
請求項２記載の発明によれば、複数の排紙トレイが設けられる後処理ユニットから記録媒体を排出させる場合に、記録媒体が排出される排出トレイの近傍に設けられる表示手段を点灯表示させることができるため、ユーザは、用紙が排出される排紙トレイを的確に認識することができ、速やかに排出された記録媒体を回収することができる。
複数の排紙トレイが設けられる後処理ユニットから用紙を排出する場合に、用紙が排出される排紙トレイの近傍に設けられる表示手段を点灯表示させることができるため、ユーザは用紙が排出される排紙トレイを的確に認識することができ、速やかに排出された用紙を回収することができる。
【００２０】
請求項３から５記載の発明によれば、種々の後処理モードを有する後処理ユニットに適用可能であり、汎用性の高い画像形成装置を提供することができる。
【００２１】
請求項６記載の発明によれば、記録媒体が排出される際にジャムが発生した場合、ジャムの発生した排紙トレイの近傍に設けられる表示手段を第１の表示態様とは異なる第２の表示態様にて点灯表示させることができるため、ユーザは、ジャムの発生を速やかに認識すると共に、ジャムの発生位置を的確に把握して、迅速にトラブルの解消を図ることができる。
【００２２】
請求項７記載の発明によれば、記録媒体が排出される後処理ユニット又は排紙トレイを的確に認識すると共に、後処理の終了を把握することができる。
【００２３】
請求項８記載の発明によれば、記録媒体が排出される後処理ユニット又は排紙トレイを的確に認識すると共に、後処理の処理状況を的確に把握することができる。
【００２４】
請求項９記載の発明によれば、後処理の開始に先だって、記録媒体が排出される後処理ユニット又は排紙トレイを的確に認識することができ、効率良く記録媒体を回収することができる。
【発明を実施するための最良の形態】
【００２５】
以下、図を参照して本発明の実施の形態を詳細に説明する。ただし、発明の範囲は、図示例に限定されない。
【００２６】
まず、本実施の形態の構成を説明する。
図１は、本実施の形態における画像形成装置１００の外観構成を示す図である。図１に示すように、画像形成装置１００は、画像形成ユニット１、後処理ユニット２、後処理ユニット３を備えて構成されている。なお、１台の画像形成ユニット１に接続される後処理ユニット２，３の台数は特に限定されない。
【００２７】
画像形成ユニット１は、画像データを用紙等の記録媒体（以下、「用紙」と記す）に画像形成する装置である。後処理ユニット２，３は、画像形成ユニット１により画像形成された用紙に各種後処理モードに応じた後処理を施す装置である。この後処理ユニット２，３は、例えば、マルチ折りモードを有するマルチ折りユニット、中綴じモードを有する中綴じユニット、平綴じモードを有する平綴じユニット、スタッカーモードを有するスタッカーユニット等を備え、画像形成ユニット１からの指示に応じて、画像形成された用紙にマルチ折り、中綴じ、平綴じ、スタッカー等の各種処理を施して、指定された排紙トレイに用紙を排出する。具体的に、後処理ユニット２は、マルチ折りユニット、中綴じユニットを備え、後処理ユニット３は、平綴じユニットを備えて構成されている。
【００２８】
また、後処理ユニット２，３には、後処理が施された用紙を排出する後処理ユニットを報知するための表示手段２９ａ，４０ａが設けられると共に、各種後処理が施された用紙が排出される複数の排紙トレイを設け、排紙トレイの近傍には、用紙の排出位置を報知するための表示手段２９ｂ〜２９ｅ、４０ｂ〜４０ｃがそれぞれ設けられている。
【００２９】
ここで、各種後処理モードに対応する折り処理、綴じ処理について説明する。図２は、折り処理を説明する図である。図２（ａ）〜（ｇ）に示すように、各種折り処理としては、内中折り、外中折り、内三つ折り、外三つ折り、ダブルパラレル、Ｚ折り、観音折り等がある。また、綴じ処理には、平綴じ処理、中綴じ処理があり、平綴じ処理は、重ねられた用紙に対して、指定された位置（例えば、１箇所左上、２箇所左、１箇所右上、２箇所上）にステイプルを打つ処理である。また、中綴じ処理は、小冊子を作成するために二つ折りにされた用紙の中央にステイプルを打つ処理である。
【００３０】
次に、画像形成装置１００に備える後処理ユニットの組み合わせ例について説明する。図３に示すように、画像形成装置１００は、種々のユニットを備える後処理ユニットと組み合せが可能である。また、同一のユニットを複数備える構成であっても良い。
【００３１】
次に、図４を参照して、画像形成装置１００における各部の機能的構成について説明する。図４に示すように、画像形成装置１００は、画像形成ユニット１、後処理ユニット２、後処理ユニット３がシリアル通信により接続され、データの送受信が可能なように構成されている。
【００３２】
まず、画像形成ユニット１の内部構成について説明する。
図４に示すように、画像形成ユニット１は、制御手段１１、シリアル通信手段１２、操作手段１３、画像読取手段１４、画像形成手段１５、用紙収納手段１６、給送手段１７、搬送手段１８、画像データ記憶手段１９、後処理判別手段２０等により構成され、各部はバスにより接続されている。
【００３３】
制御手段１１は、ＣＰＵ（Central Processing Unit）、ＲＯＭ（Read Only Memory）、ＲＡＭ（Ramdom Access Memory）等により構成される。制御手段１１のＣＰＵは、入力手段１３ａの操作により、ＲＯＭに記憶されているシステムプログラムや各種処理プログラムを読み出してＲＡＭ内に展開し、展開されたプログラムに従って、画像形成ユニット１各部の動作を集中制御する。
【００３４】
また、制御手段１１は、後処理ユニット２の制御手段２１との間で、コピー動作時データ送受信シーケンスに従い、画像形成ユニット１の動作に基づいて後処理ユニット２へコピースタート信号、紙排出信号等の制御信号を送信し、後処理ユニット２から紙排カウント、各種のアラーム情報（扉の開閉、ステイプルの針、紙残り）、ジャム検知等を受信する。制御手段１１は、受信した情報に基づいて、操作手段１３の表示手段１３ｂに後処理ユニット２の情報を表示させる排出位置表示処理（図５参照）、後処理ユニット表示処理（図６参照）、後処理ユニットの表示手段を点灯表示させるための排紙トレイ選択処理（図７参照）を実行する。なお、各処理の詳細については後述する。
【００３５】
シリアル通信手段１２は、シリアル通信Ｉ／Ｆ等により構成され、画像形成ユニット１と後処理ユニット２との間でのシリアル通信による制御信号の送受信を制御する。
【００３６】
操作手段１３は、入力手段１３ａ及び表示手段１３ｂを備えて構成されている。入力手段１３ａは、ＬＣＤ（Liquid Crystal Display）の表示画面上に透明電極を格子状に配置した感圧式（抵抗膜圧式）のタッチパネルにより構成され、手指やタッチペン等で押下された力点のＸＹ座標を電圧値で検出し、検出された位置信号を操作信号として制御手段１１に出力する。また、入力手段１３ａは、数字ボタン、スタートボタン等の各種操作ボタンを備え、ボタン操作による操作信号を制御手段１１に出力する。表示手段１３ｂは、ＬＣＤ等により構成され、制御手段１１から入力される表示信号の指示に従って表示画面上に各種操作ボタンや装置の状態表示、各機能の動作状況等の表示を行う。
【００３７】
画像読取手段１４は、原稿を載置するコンタクトガラスの下部にスキャナを備えて構成され、原稿の画像を読み取る。スキャナは、光源、ＣＣＤ（Charge Coupled Device）等により構成され、光源から原稿へ照明走査した光の反射光を結像して光電変換することにより原稿の画像を読み取り、読み取った画像を画像形成手段１５に出力する。ここで、画像は、図形や写真等のイメージデータに限らず、文字や記号等のテキストデータ等も含む。
【００３８】
画像形成手段１５は、感光ドラム、トナーなどを備えて構成されており、制御手段１１からの印刷指示に従って、入力手段１３ａから入力指示されたサイズ、向きの用紙が搬送手段１８により搬送されると、感光ドラム表面に、画像読取手段１４から入力された画像の静電潜像を形成する。更に画像形成手段１５は、感光ドラム表面の静電潜像を含む領域にトナーを付着させ、用紙にトナーを転写して定着させた後、後処理ユニット２，３へ排出する。
【００３９】
用紙収納手段１６は、画像を転写するための用紙を収納する。用紙収納手段１６は、用紙の収納の有無を検知する有無検知手段１６ａ、収納されている紙サイズを検知する紙サイズ検知手段１６ｂを備え、検知信号を制御手段１１に出力する。
【００４０】
給送手段１７は、制御手段１１からの指示に従って、原稿セット位置に載置された原稿をコンタクトガラス上に自動給送する。搬送手段１８は、制御手段１１からの指示に従って、用紙収納手段１６に収納されている用紙を画像形成手段１５等の各部へ搬送する。
【００４１】
画像データ記憶手段１９は、半導体メモリ（ＤＲＡＭ）や磁気ディスク（ＨＤＤ）により構成され、画象読取手段１４により読取られた画像データを記憶するメモリである。
【００４２】
後処理判別手段２０は、入力手段１３ａを介して入力された後処理モードに応じて、画像形成された用紙に後処理を施す後処理ユニットを判別し、判別結果を制御手段１１に出力する。
【００４３】
次に、後処理ユニット２の内部構成について説明する。
図１に示すように、後処理ユニット２は、制御手段２１、シリアル通信手段２２ａ、シリアル通信手段２２ｂ、検知手段２３、第１搬送手段２４ａ、第２搬送手段２４ｂ、第１集積手段２５ａ、第２集積手段２５ｂ、整合手段２６、穿孔手段２７、折り手段２８、表示手段２９等により構成され、各部はバスにより接続されている。
【００４４】
制御手段２１は、ＣＰＵ、ＲＯＭ、ＲＡＭ等により構成される。制御手段２１のＣＰＵは、ＲＯＭに記憶されているシステムプログラムや各種処理プログラムを読み出してＲＡＭ内に展開し、展開されたプログラムに従って、後処理ユニット２各部の動作を集中制御する。制御手段２１は、画像形成ユニット１の制御手段１１及び後述する後処理ユニット３の制御手段３１との間で、シリアル通信による制御信号の送受信を行っている。
【００４５】
シリアル通信手段２２ａは、シリアル通信Ｉ／Ｆ等により構成され、画像形成ユニット１と後処理ユニット２との間でのシリアル通信による制御信号、画面データ等の送受信を制御する。また、シリアル通信手段２２ｂは、シリアル通信Ｉ／Ｆ等により構成され、後処理ユニット２と後処理ユニット３との間でシリアル通信による制御信号、画面データ等の送受信を制御する。
【００４６】
検知手段２３は、入り口検知センサ、バイパスセンサ、通過検知センサ、排紙センサ等からなり、用紙の位置を検知することによりジャムの発生、ジャム位置、ジャム解除を検知し、この検知情報を制御手段２１へ出力する。
【００４７】
第１搬送手段２４ａは、モータ等からなる駆動部分を含むローラを用いて画像形成ユニット１から排出された用紙を第１集積手段２５ａの排紙トレイへと搬送する。
【００４８】
第２搬送手段２４ｂは、モータ等からなる駆動部分を含むローラを用いて、各種処理が施された用紙を第２集積手段２５ｂの排紙トレイへと搬送する。
【００４９】
第１集積手段２５ａは、折り処理、穿孔処理等の後処理を行わない用紙を排紙して集積する排紙トレイを備えている。第２集積手段２５ｂは、折り処理、穿孔処理等の後処理がなされた用紙を集積する排紙トレイを備えている。
【００５０】
整合手段２６は、複数の用紙を搬送方向及び搬送方向と直行する幅方向に整合する。整合手段２６は、傾斜をもって配設されており、搬送路から整合手段２６上部に搬送された用紙は、自重によりストッパーまで滑り落ちて停止する。これにより、複数の用紙を搬送方向に位置合わせする。また、整合手段２６は、図示しない軽打機構により用紙を軽打することにより、搬送方向と直交する用紙面の幅揃えを行う。
【００５１】
穿孔手段２７は、画像形成ユニット１から排出された用紙の所定位置に所定形状のパンチ孔を空ける。中折り手段２８ａは、図示しない用紙突き出し手段、折りローラ、搬送ベルト、加圧ローラ等から構成されている。中折り手段３８は、中折り開始信号により、用紙突き出し手段の突き出し板が斜め上方に直進して、突き出し板の先端部は、用紙束の中央部を押し上げ、用紙束を介して折りローラのニップ部を押し広げて揺動、離間させる。突き出し板の先端部が前記ニップ部を通過後、突き出し板が後退して、用紙束の中央部は、折りローラにより挟圧されて、折り目部が形成される。また、折り手段２８ｂは、整合手段２６により、整合された用紙束を所定の折り位置で折り処理する。
【００５２】
表示手段２９は、後処理ユニットを報知するために少なくとも１つ設けられると共に、第１集積手段２５ａに備えられる排紙トレイ、第２集積手段２５ｂに備えられる排紙トレイの近傍に設けられ、表示制御手段３０の制御に応じて点灯表示する。具体的には、図１に示すように、後処理ユニットを報知する少なくとも１つの表示手段２９ａと、複数の排紙トレイの近傍に複数の表示手段２９ｂ〜２９ｅが設けられている。
【００５３】
また、表示手段２９は、ＬＥＤ（Light Emitting Diode）、ＬＣＤ、ランプ（例えば、回転灯）等の発光部品により構成され、発光部品は、単色光に限らず、Ｒ（赤）、Ｇ（緑）、Ｂ（青）の光の三原色を有することにより、表示制御手段３０の制御に応じて、発光色を変更することが可能である。本実施の形態においては、表示手段２９ａが、回転灯により構成され、表示手段２９ｂ〜２９ｄがＬＥＤにより構成される場合を例として説明する。
【００５４】
また、表示手段２９は、表示制御手段３０の制御に応じて、表示態様を変化させることが可能であり、例えば、点灯表示、点滅表示を行うことが可能である。この構成によれば、検知手段２３によりジャムが検知され、検知情報が表示制御手段３０に出力された場合に、表示制御手段３０により、ジャムの種類に応じて、用紙の排出時と異なる態様により表示手段２９を点灯表示させ、ジャムを報知することが可能となる。例えば、排紙トレイが満杯になった場合は、ユーザに用紙の取り除きを促すために黄色の点滅を表示させ、故障時には赤色を点滅させることにより、ジャムの種類やジャム発生位置等を報知することができる。
【００５５】
また、表示手段２９は、ＬＣＤ等をさらに備え、表示制御手段３０から入力される表示信号の指示に従って表示画面上に各種操作ボタンや装置の状態表示、各機能の動作状況等の表示や、後述する排出位置表示画面（図１７参照）の表示を行う構成であっても良い。
【００５６】
表示制御手段３０は、表示手段２９を制御する表示信号を表示手段２９に出力する。具体的に、表示制御手段３０は、後処理ユニットに設けられる２９ａ、各種後処理された用紙が排出される排紙トレイに設けられる表示手段２９ｂ〜２９ｅを点灯表示させる表示処理１〜５（図９〜１３参照）を実行する。なお、各処理の詳細は後述する。
【００５７】
続いて、後処理ユニット３の内部構成について説明する。なお、後処理ユニット３の構成は、上述した後処理ユニット２と略同一の構成によってなるため、同一部分には同列の符号を付し、詳細な説明を省略する。以下では、後処理ユニット３に特徴的な構成及び機能について説明する。
【００５８】
スタック整合手段３６は、傾斜をもって配設されており、搬送路からスタック整合手段３６上部に搬送された用紙は、自重によりストッパーまで滑り落ちて停止する。これにより、スタック整合手段３６内の複数の用紙が、搬送方向に位置合わせされ、搬送方向の整合状態となる。また、搬送方向と直交する用紙面の幅揃えは、図示しない軽打機構により用紙を軽打し、幅整合が行われる。
【００５９】
綴じ手段３７は、搬送方向に直交する方向に２組配置され、図示しない駆動手段により、搬送方向に直交する方向に移動可能である。綴じ手段３７は、スタック整合手段３６により整合された用紙を所定位置に移動させた後、幅方向の中央振り分け２箇所に綴じ針を打つ。
【００６０】
断裁手段３９は、図示しない断裁上刃、断裁下刃、可動板、押圧ローラ、駆動手段等から構成されている。断裁手段３９は、綴じ処理、中折り処理されて製本化された用紙束に対して、用紙の小口を揃えるため小口を断裁する。
【００６１】
表示手段４０は、上述した表示手段２９と同様に、ＬＥＤ、ＬＣＤ、ランプ等の発光部品により構成され、後処理ユニットを報知するものと、第１集積手段３５ａに設けられる排紙トレイ、第２集積手段３５ｂに設けられる排紙トレイの近傍に設けられ、用紙が排出される排紙トレイを報知するものがある。具体的には、図１に示すように、後処理ユニット３を報知するための少なくとも１つの表示手段４０ａと、複数の排紙トレイの近傍に表示手段４０ｂ〜４０ｃが設けられている。なお、本実施の形態においては、表示手段４０ａが回転灯により構成され、表示手段４０ｂ〜４０ｃがＬＥＤにより構成される場合を例として説明を行う。
【００６２】
次に、本実施の形態の動作を説明する。
なお、動作説明の前提として、以下のフローチャートに記述されている各処理を実現するためのプログラムは、画像形成ユニット１の制御手段１１、後処理ユニット２，３の制御手段２１，３１、表示制御手段３０，４１が読み取り可能なプログラムコードの形態でＲＯＭに格納されており、制御手段１１〜３１，表示制御手段３０，４１は、当該プログラムコードに従った動作を逐次実行する。
【００６３】
図５を参照して、画像形成ユニット１の制御手段１１により実行される排出位置表示処理について説明する。図５に示すように、制御手段１１は、入力手段１３ａを介して、排出位置の表示指示が入力されると（ステップＳ１；ＹＥＳ）、シリアル通信手段１２を制御して、画像形成ユニット１に後処理ユニット２，３が接続されているか否かを判別する（ステップＳ２）。
【００６４】
後処理ユニット２，３が接続されている場合（ステップＳ２；ＹＥＳ）、制御手段１１は、後述する後処理ユニット表示処理を実行する（ステップＳ２）。図６は、画像形成ユニット１の制御手段１１により実行される後処理ユニット表示処理を示すフローチャートである。図６に示すように、制御手段１１は、接続されている後処理ユニットに設けられているユニットの種別を判別する。まず、制御手段１１は、後処理ユニットに設けられているがマルチ折りユニットであるか否かを判別する（ステップＳ１１）。
【００６５】
後処理ユニット２に設けられているユニットがマルチ折りユニットである場合（ステップＳ１１；ＹＥＳ）、制御手段１１は、マルチ折りユニットの構成を後処理ユニットとして表示手段１３ｂに表示させる（ステップＳ１２）。後処理ユニットに設けられているユニットがマルチ折りユニットでない場合（ステップＳ１１；ＮＯ）、制御手段１１は、ユニットがスタッカーユニットであるか否かを判別する（ステップＳ１３）。
【００６６】
ユニットがスタッカーユニットである場合（ステップＳ１３）、制御手段１１は、スタッカーユニットの構成を後処理ユニットとして表示手段１３ｂに表示させる（ステップＳ１４）。一方、ユニットがスタッカーユニットでない場合（ステップＳ１３；ＮＯ）、制御手段１１は、ユニットが中綴じユニットであるか否かを判別する（ステップＳ１５）。
【００６７】
ユニットが中綴じユニットである場合（ステップＳ１５；ＹＥＳ）、制御手段１１は、中綴じユニットの構成を後処理ユニットとして表示手段１３ｂに表示させる（ステップＳ１６）。一方、ユニットが中綴じユニットでない場合（ステップＳ１５；ＮＯ）、制御手段１１は、ユニットが平綴じユニットであるか否かを判別する（ステップＳ１７）。
【００６８】
ユニットが平綴じユニットである場合（ステップＳ１７；ＹＥＳ）、制御手段１１は、平綴じユニットの構成を後処理ユニットとして表示手段１３ｂに表示させる（ステップＳ１８）。一方、ユニットが平綴じユニットでない場合（ステップＳ１７；ＮＯ）、制御手段１１は、本後処理ユニット表示処理を終了し、排出位置表示処理に移行する。
【００６９】
図５に戻り、制御手段１１は、画像形成ユニット１に他の後処理ユニットが接続されているか否かを判別し（ステップＳ４）、他の後処理ユニットが接続されている場合（ステップＳ４；ＹＥＳ）、他の後処理ユニットの備えるユニットを表示手段１３ｂに表示するため上述したユニット表示処理を繰り返して実行する（ステップＳ３）。また、他の後処理ユニットが接続されていない場合（ステップＳ４；ＮＯ）、すなわち、画像形成ユニット１に接続されている全ての後処理ユニットについて表示を行った場合、制御手段１１は、ジョブを選択させる（ステップＳ５）。
【００７０】
図１４〜図１６を参照して、ジョブの選択方法について説明する。図１４は、後処理モード設定画面の一例を示す図である。図１４に示すように、後処理モード設定画面１３１は、基本画面１３０の後処理設定釦が押下されることにより、基本画面１３０に重畳してポップアップ表示される。後処理モード設定画面１３１には、画像形成ユニット１、後処理ユニット２，３のユニット構成図が模式的に表示されると共に、後処理モードを選択するための後処理モード選択釦が設けられている。
【００７１】
後処理モード選択釦には、例えば、ステイプルモード、中綴じモード、折りモード、ソートモード、グループモード、フェイスアップモード、Ｎｔｏ１モード、パンチモード、カバーシートモード等の各種モードが対応付けられている。各モードが対応付けられた後処理モード選択釦が押下されると、各後処理モードに応じた詳細設定画面が基本画面に重畳してポップアップ表示される。
【００７２】
図１５は、ステイプルモードに対応付けられた後処理モード選択釦が押下された場合に基本画面１３０に重畳してポップアップ表示される詳細設定画面例を示す図である。図１５に示すように、詳細設定画面１３２には、ステイプルモードにおいて、ステイプルを打つ位置を選択するための位置選択釦が設けられている。各選択位置が対応付けられた位置選択釦が押下されると、当該選択位置がステイプルの位置として設定される。また、図１６は、折りモードに対応付けられた後処理モード選択釦が押下された場合に基本画面１３０に重畳してポップアップ表示される詳細設定画面例を示す図である。図１６に示すように、詳細設定画面１３３は、折りモードにおいて、折りの種類を選択するための折り選択釦が設けられている。上述した各設定画面において、各種指示が入力されることにより、後処理モードが選択され、ジョブが選択される。
【００７３】
次いで、図５に戻り、制御手段１１は、選択されたジョブに対応する排出位置を特定する（ステップＳ６）。具体的に、制御手段１１は、後処理判別手段２０により、選択されたジョブに基づいて後処理ユニットが判別されると、判別結果に基づいて後処理ユニットに対応する排紙位置を特定する。そして、制御手段１１は、特定した排紙位置に基づいて、表示手段１３ｂに表示されたユニットの対応する排出位置を点灯表示させる（ステップＳ７）。そして、制御手段１１は、本後処理ユニット表示処理を終了する。
【００７４】
図１７は、画像形成ユニット１の表示手段１３ｂに表示される排出位置表示画面の一例を示す図である。図１７に示すように、排出位置表示画面１３４には、画像形成ユニット１に登録されたジョブが一覧表示されると共に、画像形成ユニット１、後処理ユニット２，３のユニット構成図が模式的に表示されている。この排出位置表示画面１３４において、一覧表示されたジョブの中から入力手段１３ａを介して、任意のジョブが選択されると、選択されたジョブの用紙が排出される排紙トレイに対応する箇所（例えば、図中(５)）が後処理ユニット２，３のユニット構成図において点灯表示される。これにより、ユーザは、表示手段１３ｂを閲覧することにより、所望するジョブがどの排紙トレイから排出されるかを的確に把握し、排出される用紙を集中的に管理することができる。
【００７５】
また、排出位置表示画面１３４において、用紙の排出先となる排紙トレイに対応する箇所を表示させる処理は、ジョブ予約後又はジョブ出力後に行うことができ、ユーザの利用態様に応じて、好適なタイミングにて排出位置を表示させることができる。これにより、予め排出される用紙を的確に把握して、用紙を計画的に回収することができる。
【００７６】
次に、後処理ユニット２，３に設けられる表示手段２９ａ，４０ａ（以下、統括して「表示手段Ａ」と記す）と、後処理ユニット２，３の排紙トレイ近傍に設けられる表示手段２９ｂ〜ｅ，４０ｂ〜ｃ（以下、統括して「表示手段Ｂ」と記す）を点灯表示させるための排紙トレイ選択処理について説明する。図７は、制御手段１１により実行される排紙トレイ選択処理を示すフローチャートである。図７に示すように、制御手段１１は、排紙トレイの表示手段Ａ，Ｂを点灯表示させる指示が入力されたか否かを判別する（ステップＳ２１）。ここで、表示手段Ａ，Ｂを点灯表示させる指示とは、例えば、スタート釦の押下、ジョブ登録完了、ジョブ開始、ジョブ完了等の指示である。
【００７７】
排紙トレイに設けられる表示手段Ａ，Ｂを表示させる指示が入力された場合（ステップＳ１；ＹＥＳ）、後処理判別手段２０により、後処理モードはステイプル処理を行うモードに設定されているか否かが判別される（ステップＳ２２）。
【００７８】
ステイプル処理を行うモードが設定されている場合（ステップＳ２２；ＹＥＳ）、制御手段１１は、平綴じメイントレイに設けられている表示手段Ｂを有効に設定する。また、ステイプル処理を行うモードが設定されていない場合（ステップＳ２２；ＮＯ）、後処理判別手段２０により、中綴じ処理を行うモードが設定されているか否かが判別される（ステップＳ２４）。
【００７９】
中綴じ処理を行うモードが設定されている場合（ステップＳ２４；ＹＥＳ）、制御手段１１は、中綴じ排出部に設けられている表示手段Ｂを有効に設定する（ステップＳ２５）。また、中綴じ処理を行うモードが設定されていない場合（ステップＳ２２；ＮＯ）、後処理判別手段２０により、折り処理を行うモードが設定されているか否かが判別される（ステップＳ２４）。
【００８０】
ここで、折り処理を行うモードが設定されている場合（ステップＳ２６；ＹＥＳ）、後処理判別手段２０により、設定されているモードが折り処理のうちＺ折り処理であるか否かが判別される（ステップＳ２７）。Ｚ折り処理を行うモードが設定されている場合（ステップＳ２７；ＹＥＳ）、制御手段１１は、平綴じメイントレイの表示手段Ｂを有効に設定する（ステップＳ２８）。
【００８１】
一方、多数枚三つ折り処理を行うモードが設定されている場合（ステップＳ２９；ＹＥＳ）、制御手段１１は、折りトレイに設けられている表示手段Ｂを有効に設定する（ステップＳ３０）。また、折り処理として、Ｚ折り処理、多数枚三つ折り処理以外の折り処理を行うモードが設定されている場合（ステップＳ２９；ＮＯ）、制御手段１１は、マルチ折りトレイの表示手段Ｂを有効に設定する（ステップＳ３１）。
【００８２】
また、ステップＳ２６に戻り、折り処理を行うモードが設定されていない場合（ステップＳ２６；ＮＯ）、後処理判別手段２０により、シフト処理を行うモードが設定されているか否かが判別される（ステップＳ３２）。ここで、シフト処理は、出力する用紙の幅方向又は長さ方向に可動可能な排紙トレイにおいて、ジョブ毎に排紙トレイを一定方向に稼動させて、用紙の排出を行う処理である。
【００８３】
シフト処理を行うモードが設定されている場合（ステップＳ３２；ＹＥＳ）、制御手段１１は、平綴じメイントレイに設けられている表示手段Ｂを有効に設定する（ステップＳ２２）。また、シフト処理を行うモードが設定されず（ステップＳ３２；ＮＯ）、排紙トレイ変更釦が指示された場合（ステップＳ３４）、制御手段１１は、後述する排紙トレイ変更処理（図８参照）を実行する（ステップＳ３５）。
【００８４】
図８は、制御手段１１により実行される排紙トレイ変更処理を示すフローチャートである。図８に示すように、制御手段１１は、排紙トレイ変更指示が入力されたか否かを判別し（ステップＳ４１）、排紙トレイ変更指示が入力された場合（ステップＳ４１；ＹＥＳ）、入力された指示に応じて選択されたトレイを判別する。そして、選択されたトレイが中綴じサブトレイである場合（ステップＳ４２；ＹＥＳ）、制御手段１１は、中綴じサブトレイの表示手段Ｂを有効に設定する（ステップＳ４３）。
【００８５】
選択された指示が平綴じサブトレイである場合（ステップＳ４４；ＹＥＳ）、制御手段１１は、平綴じサブトレイの表示手段Ｂを有効に設定する（ステップＳ４５）。選択された指示が平綴じメイントレイである場合（ステップＳ４６；ＹＥＳ）、制御手段１１は、平綴じメイントレイの表示手段Ｂを有効に設定する（ステップＳ４７）。また、中綴じサブトレイ、平綴じサブトレイ、平綴じメイントレイのいずれも選択されていない場合（ステップＳ４６；ＮＯ）、制御手段１１は、選択無効の警告表示を表示手段１３ｂに表示させて、本排紙トレイ変更処理を終了する。
【００８６】
図７に戻り、後処理判別手段２０により、選択されたジョブに対応する後処理ユニットが判別されると（ステップＳ３６）、制御手段１１は、対応する後処理ユニットに、表示手段Ａと、選択された排出位置に対応する表示手段Ｂとを有効に設定する指示を出力し（ステップＳ３７）、本排紙トレイ選択処理を終了する。
【００８７】
次に、図９〜図１３を参照して、後処理ユニット２、３の表示制御手段３０，４１により実行される表示処理１〜５について説明する。後処理ユニット２、３の制御手段２１，３１は、表示処理１〜５の実行に先だって画像形成ユニット１において上述した排紙トレイ選択処理が実行されることにより、表示手段Ａ、Ｂを有効とする指示を取得しているものとする。以下では、後処理ユニット２の表示制御手段３０を代表として動作の説明を行う。
【００８８】
図９は、スタート釦が押下された場合に表示手段Ａ，Ｂを点灯表示させる表示処理１を示すフローチャートである。図９に示すように、表示制御手段３０は、シリアル通信手段２２ａを介して、画像形成ユニット１からスタート釦の押下信号が入力されると（ステップＳ５１；ＹＥＳ）、有効に設定されている表示手段Ａ，ＢのＬＥＤを点滅表示させる（ステップＳ５２）。次いで、表示制御手段３０は、ジョブが終了したか否かを判別し（ステップＳ５３）、ジョブが終了した場合（ステップＳ５３；ＹＥＳ）、表示手段Ａ，ＢのＬＥＤの表示態様を点滅から点灯に切り替える（ステップＳ５４）。続いて、表示制御手段３０は、対応する排紙トレイから用紙が取り出されたか否かを判別し（ステップＳ５５）、用紙が取り出された場合（ステップＳ５５；ＹＥＳ）、ＬＥＤを消灯させて（ステップＳ５６）、本表示処理１を終了する。
【００８９】
この表示処理１は、例えば、後処理ユニットが、スタッカーユニットである場合に有効な処理である。スタッカーユニットは、上述したように前面に扉を備えており、稼動中（スタック処理中）に扉が開閉されると、安全機能の働きにより、処理が中断される。そこで、スタッカーユニットに設けられる表示手段Ａ，Ｂを点灯させる場合、稼動中と処理終了後において表示手段Ａ，Ｂの表示態様を変化させることにより、処理状況に応じて用紙の取りだし可否を報知することができる。
【００９０】
図１０は、ジョブ登録が行われた場合に表示手段Ａ，Ｂを点灯表示させる表示処理２を示すフローチャートである。図１０に示すように、表示制御手段３０は、シリアル通信手段２２ａを介して、ジョブ登録を完了した指示が入力されると（ステップＳ６１；ＹＥＳ）、有効に設定されている表示手段Ａ，ＢのＬＥＤを点灯させる（ステップＳ６２）。次いで、表示制御手段３０は、対応するトレイから用紙が取り出されたか否かを判別し（ステップＳ６３）、用紙が取り出された場合（ステップＳ６３；ＹＥＳ）、ＬＥＤを消灯させて（ステップＳ６４）、本表示処理２を終了する。
【００９１】
図１１は、ジョブが完了した場合に表示手段Ａ，Ｂを点灯表示させる表示処理３を示すフローチャートである。図１１に示すように、表示制御手段３０は、ジョブが完了したか否かを判別し（ステップＳ７１）、ジョブが完了した場合（ステップＳ７１；ＹＥＳ）、有効に設定されている表示手段Ａ，ＢのＬＥＤを点灯させる（ステップＳ７２）。次いで、対応するトレイから用紙が取り出されたか否かを判別し（ステップＳ７３）、用紙が取り出された場合（ステップＳ７３；ＹＥＳ）、表示制御手段３０は、ＬＥＤを消灯させて（ステップＳ７４）、本表示処理３を終了する。
【００９２】
図１２は、ジョブが完了した後、タイマー制御により表示手段Ａ，Ｂを点灯表示させる表示処理４を示すフローチャートである。図１２に示すように、表示制御手段３０は、ジョブが完了したか否かを判別し（ステップＳ８１）、ジョブが完了した場合（ステップＳ８１；ＹＥＳ）、有効に設定されている表示手段Ａ，ＢのＬＥＤを点灯させる（ステップＳ８２）。次いで、表示制御手段３０は、ＬＥＤを所定時間点灯させるためのタイマーをセットし（ステップＳ８３）、点灯時間がｔ＝０になったか否かを判別する（ステップＳ８４）。点灯時間がｔ＝０になった場合（ステップＳ８４；ＹＥＳ）、表示制御手段３０は、ＬＥＤを消灯させて（ステップＳ８５）、本表示処理４を終了する。
【００９３】
図１３は、ジャムが発生した場合に通常とは異なる表示態様にて表示手段Ａ，Ｂを点灯表示させる表示処理５を示すフローチャートである。図１３に示すように、表示制御手段３０は、検知手段２３から入力されるジャム検知信号に基づいて、ジャムが発生したか否かを判別し（ステップＳ９１）、ジャムが発生した場合（ステップＳ９１；ＹＥＳ）、有効に設定されている表示手段Ａ，ＢのＬＥＤを通常の表示態様とは異なる表示態様、例えば、赤点滅にて表示させ（ステップＳ９２）、本表示処理５を終了する。また、ジャムが発生しない場合（ステップＳ９１；ＮＯ）、表示制御手段３０は、上述した表示処理１〜４のいずれかに移行して、通常の表示処理を実行する。
【００９４】
以上のように、本実施の形態の画像形成装置１００は、複数の排紙トレイを備える後処理ユニット２，３を備え、後処理ユニットに対応する表示手段２９ａ，４０ａ（表示手段Ａ）と、複数の排紙トレイの近傍にそれぞれ複数の表示手段２９ｂ〜２９ｅ、４０ｂ〜ｃ（表示手段Ｂ）を設け、用紙を排出する際に、用紙が排出される後処理ユニット２，３に対応する表示手段２９ａ，４０ａと、設定された後処理モードに応じて特定される排紙トレイの近傍に設けられる表示手段２９ｂ〜２９ｅ、４０ｂ〜４０ｃとを点灯表示する。
【００９５】
したがって、ユーザは、画像形成ユニット１から出力される用紙に後処理を施して後処理ユニット２，３に設けられる複数の排紙トレイから用紙を出力させる場合、用紙が出力される後処理ユニット及び排紙トレイを容易かつ確実に認識することができる。これにより、排出させた用紙を見失うことがなく、大量に用紙の出力を行う場合であっても、効率良く出力した用紙の回収を行うことができる。
【００９６】
また、後処理ユニット２，３の表示制御手段３０，４１により表示処理１〜３を適宜実行することにより、種々のタイミングにて、表示手段２９ａ〜２９ｅ，４０ａ〜４０ｃを点灯表示させることができる。つまり、ユーザの設定に応じて、表示処理１〜３のいずれかを実行させることにより、ジョブ開始時、ジョブ登録時、ジョブ完了時等、任意のタイミングにて表示手段２９，４０を点灯表示させることができる。さらに、表示処理４を実行することにより、タイマー制御にて、表示手段２９，４０を点灯表示させることができるため、例えば、排紙された用紙がいつまでも取り出されない場合に、表示手段２９ａ〜２９ｅ，４０ａ〜４０ｃが点灯したままになることを防止することができる。
【００９７】
また、表示処理５を実行することにより、後処理ユニット２，３にジャムが発生した場合、表示手段２９ａ〜２９ｄ，４０ａ〜４０ｃを通常の表示態様とは異なる表示態様、例えば、赤点滅等させることにより、ジャムの発生を報知することができる。これにより、ユーザは、ジャムの発生を速やかに認識すると共に、ジャムの発生位置を的確に把握して、迅速にトラブルの解消を図ることができる。
【００９８】
また、例えば、後処理ユニットにスタッカ−を備える場合、用紙の排出が終了した後に、排紙トレイの近傍に設けられた表示手段を点灯させることにより、用紙の排出が終了し、用紙の取り出しが可能になったことを的確に報知することができる。これにより、後処理ユニットの稼動中にスタッカ−の扉が開閉され、処理が中断されることを防止することができる。
【００９９】
また、画像形成ユニット１に設けられる表示手段１３ｂに、登録されたジョブの一覧と、画像形成ユニット１に接続される後処理ユニット２，３のユニット構成図を表示させ、一覧表示されたジョブの中から入力手段１３ａを介してジョブが選択されると、対応するジョブの排出位置を後処理ユニット２，３のユニット構成図上に表示させる。
【０１００】
これにより、ユーザは、画像形成ユニット１に設けられる表示手段１３ｂを閲覧するだけで、用紙の排出位置を確認することができる。すなわち、表示手段１３ｂに排出位置を表示させることにより、用紙の排出位置を集中的に管理することができ、業務効率を向上させることができる。また、ユーザは、表示手段１３ｂに表示されたジョブのうち任意のジョブを選択して、選択したジョブに対応する用紙の排出先を表示させることができるため、所望するジョブに関する情報を容易に取得することができ利便性が良い。
【０１０１】
なお、上述した本実施の形態における記述は、本発明に係る好適な画像形成装置１００の一例であり、これに限定されるものではない。
例えば、画像形成ユニット１に接続される後処理ユニットの台数、後処理ユニットに設けられるユニットの機能、モード及び構成は、上述した例に限定されない。
【０１０２】
また、本実施の形態においては、画像形成ユニット１に設けられる表示手段１３に後処理ユニット２，３のユニット構成図を表示した排出位置表示画面１３１を表示させる構成として説明を行ったが、後処理ユニットにＬＣＤ等を備える表示手段を設け、後処理ユニットの制御手段は、上述した排出位置表示処理１を実行して、排出位置表示画面をＬＣＤ等の表示手段に表示させる構成であっても良い。
【０１０３】
また、本実施の形態においては、排紙トレイに排出される記録媒体が用紙である場合を例として説明を行ったが、紙等の記録媒体に限るものではなく、ＯＨＰシート等であっても良い。さらに、上述した表示手段２９ａ〜２９ｅ，４０ａ〜４０ｃの表示態様は一例であり、種々の表示態様を適用して本発明を実現可能である。
【０１０４】
その他、本実施の形態における画像形成装置１００の各構成要素の細部構成及び細部動作に関しては、本発明の趣旨を逸脱することのない範囲で適宜変更可能であることは勿論である。
【図面の簡単な説明】
【０１０５】
【図１】本発明を適用した実施の形態における画像形成装置の外観構成を示す図である。
【図２】後処理ユニット２，３により施される折り処理について説明する図である。
【図３】画像形成装置１００における後処理ユニットのユニット組合せの例を示す図である。
【図４】画像形成ユニット１、後処理ユニット２、後処理ユニット３の機能的構成を示すブロック図である。
【図５】画像形成ユニット１の制御手段１１により実行される排出位置表示処理を示すフローチャートである。
【図６】排出位置表示処理の一部として実行されるユニット表示処理を示すフローチャートである。
【図７】画像形成ユニット１の制御手段１１により実行される排紙トレイ選択処理を示すフローチャートである。
【図８】排紙トレイ選択処理の一部として実行される排紙トレイ変更処理を示すフローチャートである。
【図９】後処理ユニット２，３の表示制御手段３０，４１により実行される表示処理１を示すフローチャートである。
【図１０】後処理ユニット２，３の表示制御手段３０，４１により実行される表示処理２を示すフローチャートである。
【図１１】後処理ユニット２，３の表示制御手段３０，４１により実行される表示処理３を示すフローチャートである。
【図１２】後処理ユニット２，３の表示制御手段３０，４１により実行される表示処理４を示すフローチャートである。
【図１３】後処理ユニット２，３の表示制御手段３０，４１により実行される表示処理５を示すフローチャートである。
【図１４】画像形成ユニット１の表示手段１３ｂに表示される後処理モード設定画面１３１の一例を示す図である。
【図１５】画像形成ユニット１の表示手段１３ｂに表示される詳細設定画面１３２の一例を示す図である。
【図１６】画像形成ユニット１の表示手段１３ｂに表示される詳細設定画面１３３の一例を示す図である。
【図１７】画像形成ユニット１の表示手段１３ｂに表示される排出位置表示画面１３４の一例を示す図である。
【符号の説明】
【０１０６】
１００  画像形成装置
１      画像形成ユニット
１１    制御手段
１２    シリアル通信手段
１３    操作手段
１３ａ    入力手段
１３ｂ    表示手段
１４    画像読取手段
１５    画像形成手段
１６    記録紙収納手段
１７    有無検知手段
１８    紙サイズ検知手段
１９    画像データ記憶手段
２０    後処理判別手段
２〜３    後処理ユニット
２１，３１    制御手段
２２ａ，２２ｂ，３２    シリアル通信手段
２３，３３    検知手段
２４ａ，３４ａ    第１搬送手段
２４ｂ，３４ｂ    第２搬送手段
２５ａ，３５ａ    第１集積手段
２５ｂ，３５ｂ    第２集積手段
２６    整合手段
２７    穿孔手段
２８ａ  中折り手段
２８ｂ  折り手段
２９ａ〜２９ｄ    表示手段
３０    表示制御手段
３６    スタック整合手段
３７    綴じ手段
３８    中折り手段
３９    断裁手段
４０ａ〜４０ｃ    表示手段
４１    表示制御手段
【図１】
2005055868.tif 000003
【図２】
2005055868.tif 000004
【図３】
2005055868.tif 000005
【図４】
2005055868.tif 000006
【図５】
2005055868.tif 000007
【図６】
2005055868.tif 000008
【図７】
2005055868.tif 000009
【図８】
2005055868.tif 000010
【図９】
2005055868.tif 000011
【図１０】
2005055868.tif 000012
【図１１】
2005055868.tif 000013
【図１２】
2005055868.tif 000014
【図１３】
2005055868.tif 000015
【図１４】
2005055868.tif 000016
【図１５】
2005055868.tif 000017
【図１６】
2005055868.tif 000018
【図１７】
2005055868.tif 000019